(57)【要約】【課題】トレッド部を構成するブロックに立体形状のサイプを設けることで、耐偏摩耗性能を改善すると共に、乗心地性能を低下させることなく、操縦安定性能を向上させることを可能にした空気入りタイヤを提供する。【解決手段】トレッド部１を構成する複数のブロック２のうち少なくとも一つのブロック２に、トレッド部１の踏面の法線方向に沿って延びる踏面側サイプ部３Ａ及び底側サイプ部３Ｂと、踏面の法線方向に対して傾斜する中間サイプ部３Ｃとからなる立体サイプ３を有し、中間サイプ部３Ｃは踏面側サイプ部３Ａ及び底側サイプ部３Ｂに比べて拡幅されており、中間サイプ部３Ｃに互いに噛み合う少なくとも一対の凸部４Ａと凹部４Ｂが形成され、立体サイプ３がブロック２の少なくとも蹴り出し側の端部２１に配置され、ブロック２の蹴り出し側の端部２１に配置された立体サイプ３において中間サイプ部３Ｃが踏面側サイプ部３Ａから踏み込み側に向かって屈曲している。【選択図】図１
2018052155.tif 000002
【特許請求の範囲】
【請求項１】
トレッド部に、タイヤ周方向に延びる複数本の主溝と、タイヤ幅方向に延びて該主溝に連通する複数本の横溝と、これら主溝及び横溝により区画された複数のブロックとを備えると共に、回転方向が指定された空気入りタイヤにおいて、
前記トレッド部を構成する複数のブロックのうち少なくとも一つのブロックに、該トレッド部の踏面の法線方向に沿って延びる踏面側サイプ部及び底側サイプ部と、これら踏面側サイプ部及び底側サイプ部との間で前記踏面の法線方向に対して傾斜する中間サイプ部とからなる立体サイプを有し、前記中間サイプ部は前記踏面側サイプ部及び前記底側サイプ部に比べて拡幅されており、該中間サイプ部に互いに噛み合う少なくとも一対の凸部と凹部が形成され、前記立体サイプが前記ブロックの少なくとも蹴り出し側の端部に配置され、前記ブロックの蹴り出し側の端部に配置された前記立体サイプにおいて前記中間サイプ部が前記踏面側サイプ部から踏み込み側に向かって屈曲していることを特徴とする空気入りタイヤ。
【請求項２】
前記凸部の頂点から前記凹部の底面までのサイプ深さ方向の距離ｈ１と前記中間サイプ部の両壁面同士のサイプ深さ方向の距離ｈ２とがｈ１≧ｈ２の関係を満たし、前記中間サイプ部の両壁面同士のサイプ深さ方向の距離ｈ２と前記立体サイプのサイプ深さＨとが０．１≦ｈ２／Ｈ≦０．４の関係を満たし、前記凸部の幅ｗ１と前記凹部の幅ｗ２とが０．７≦ｗ１／ｗ２＜１．０の関係を満たすことを特徴とする請求項１に記載の空気入りタイヤ。
【請求項３】
前記立体サイプの底面から前記踏面側サイプ部と前記中間サイプ部との連結部までのサイプ深さ方向の距離ｋと前記立体サイプのサイプ深さＨとが０．３≦ｋ／Ｈ≦０．９の関係を満たすことを特徴とする請求項１又は２に記載の空気入りタイヤ。
【請求項４】
前記踏面側サイプ部及び前記底側サイプ部のサイプ幅方向のずれ量Ｌと前記立体サイプのサイプ幅ｌとが０．０５≦ｌ／Ｌ≦０．４の関係を満たすことを特徴とする請求項１〜３のいずれかに記載の空気入りタイヤ。
【請求項５】
前記底側サイプ部と前記中間サイプ部との連結部から前記踏面側サイプ部と前記中間サイプ部との連結部までのサイプ深さ方向の距離ｈ３と前記立体サイプのサイプ深さＨとが０．１≦ｈ３／Ｈ≦０．５の関係を満たすことを特徴とする請求項１〜４のいずれかに記載の空気入りタイヤ。
【請求項６】
前記凸部の高さａと前記凸部の幅ｗ１とが０．５≦ａ／ｗ１≦２．０の関係を満たし、前記凸部の高さａと前記立体サイプのサイプ深さＨとが０．０５≦ａ／Ｈ≦０．２５の関係を満たすことを特徴とする請求項１〜５のいずれかに記載の空気入りタイヤ。
【発明の詳細な説明】
【技術分野】
【０００１】
本発明は、空気入りタイヤに関し、更に詳しくは、トレッド部を構成するブロックに立体形状のサイプを設けることで、耐偏摩耗性能を改善すると共に、乗心地性能を低下させることなく、操縦安定性能を向上させることを可能にした空気入りタイヤに関する。
【背景技術】
【０００２】
空気入りタイヤのトレッド部には、溝により複数のブロックが区画されている。このような空気入りタイヤにおいて、サイプの形状を工夫することでブロックの変形を抑制することが試みられている。具体的には、ブロックに少なくとも１本のタイヤ幅方向に貫通する切り込みを設け、該切り込み内の互いに対面する合面の一方に凸部を形成し、他方に該凸部に噛み合うディンプルを形成することにより、制動時に各サブブロックが互いに倒れ込みを規制し合うので、その倒れ込み量を少なくすることが提案されている（例えば、特許文献１参照）。
【０００３】
上述するように切り込み内の合面に互いに嵌合する凸部と凹部を設けた場合、ブロックのせん断方向に対する変形を抑制することができる。更に、ヒールアンドトウ摩耗を抑制することができる。しかしながら、ブロックの圧縮方向に対する変形も同時に抑制してしまうことから、乗心地性能が悪化するという欠点がある。
【先行技術文献】
【特許文献】
【０００４】
【特許文献１】特許３１８０１６０号公報
【発明の概要】
【発明が解決しようとする課題】
【０００５】
本発明の目的は、トレッド部を構成するブロックに立体形状のサイプを設けることで、耐偏摩耗性能を改善すると共に、乗心地性能を低下させることなく、操縦安定性能を向上させることを可能にした空気入りタイヤを提供することにある。
【課題を解決するための手段】
【０００６】
上記目的を達成するための本発明の空気入りタイヤは、トレッド部に、タイヤ周方向に延びる複数本の主溝と、タイヤ幅方向に延びて該主溝に連通する複数本の横溝と、これら主溝及び横溝により区画された複数のブロックとを備えると共に、回転方向が指定された空気入りタイヤにおいて、前記トレッド部を構成する複数のブロックのうち少なくとも一つのブロックに、該トレッド部の踏面の法線方向に沿って延びる踏面側サイプ部及び底側サイプ部と、これら踏面側サイプ部及び底側サイプ部との間で前記踏面の法線方向に対して傾斜する中間サイプ部とからなる立体サイプを有し、前記中間サイプ部は前記踏面側サイプ部及び前記底側サイプ部に比べて拡幅されており、該中間サイプ部に互いに噛み合う少なくとも一対の凸部と凹部が形成され、前記立体サイプが前記ブロックの少なくとも蹴り出し側の端部に配置され、前記ブロックの蹴り出し側の端部に配置された前記立体サイプにおいて前記中間サイプ部が前記踏面側サイプ部から踏み込み側に向かって屈曲していることを特徴とするものである。
【発明の効果】
【０００７】
本発明の空気入りタイヤは、トレッド部を構成する複数のブロックのうち少なくとも一つのブロックに、該トレッド部の踏面の法線方向に沿って延びる踏面側サイプ部及び底側サイプ部と、これら踏面側サイプ部及び底側サイプ部との間で前記踏面の法線方向に対して傾斜する中間サイプ部とからなる立体サイプを有し、中間サイプ部は踏面側サイプ部及び底側サイプ部に比べて拡幅されていることで、ブロックが圧縮方向へ変形する空間が確保され、ブロックの圧縮方向への変形を抑制しないため、乗心地性能を向上させることが可能となる。また、中間サイプ部に互いに噛み合う少なくとも一対の凸部と凹部が形成されていることで、制駆動及び旋回時におけるブロックのせん断方向の変形を効率よく抑制することができる。その結果、操縦安定性能を向上させることが可能となる。更に、回転方向が指定されたタイヤにおいて、立体サイプがブロックの少なくとも蹴り出し側の端部に配置され、ブロックの蹴り出し側の端部に配置された立体サイプにおいて中間サイプ部が踏面側サイプ部から踏み込み側に向かって屈曲しているので、上記ブロックにおける蹴り出し側の端部に位置する小ブロックの剛性を向上させることができるため、耐偏摩耗性能を改善することが可能となる。
【０００８】
本発明では、凸部の頂点から凹部の底面までのサイプ深さ方向の距離ｈ１と中間サイプ部の両壁面同士のサイプ深さ方向の距離ｈ２とはｈ１≧ｈ２の関係を満たし、中間サイプ部の両壁面同士のサイプ深さ方向の距離ｈ２と立体サイプのサイプ深さＨとは０．１≦ｈ２／Ｈ≦０．４の関係を満たし、凸部の幅ｗ１と凹部の幅ｗ２とは０．７≦ｗ１／ｗ２＜１．０の関係を満たすことが好ましい。これにより、凸部及び凹部において圧縮方向への変形を許容する空間（隙間）を確保することで、ブロックの圧縮方向への変形を効果的に許容することができるため、操縦安定性能と乗心地性能の向上を両立させることが可能となる。また、耐偏摩耗性能も効果的に改善することができる。より好ましくは、０．２≦ｈ２／Ｈ≦０．３である。
【０００９】
本発明では、立体サイプの底面から踏面側サイプ部と中間サイプ部との連結部までのサイプ深さ方向の距離ｋと立体サイプのサイプ深さＨとは０．３≦ｋ／Ｈ≦０．９の関係を満たすことが好ましい。これにより、ブロックのせん断方向への変形を効果的に抑制することができる。その結果、操縦安定性能を向上させることが可能となる。より好ましくは、０．５≦ｋ／Ｈ≦０．７である。
【００１０】
本発明では、踏面側サイプ部及び底側サイプ部のサイプ幅方向のずれ量Ｌと立体サイプのサイプ幅ｌとは０．０５≦ｌ／Ｌ≦０．４の関係を満たすことが好ましい。これにより、操縦安定性能と乗心地性能の向上を両立させることが可能となる。より好ましくは、０．１５≦ｌ／Ｌ≦０．３である。
【００１１】
本発明では、底側サイプ部と中間サイプ部との連結部から踏面側サイプ部と中間サイプ部との連結部までのサイプ深さ方向の距離ｈ３と立体サイプのサイプ深さＨとは０．１≦ｈ３／Ｈ≦０．５の関係を満たすことが好ましい。これにより、耐偏摩耗性能を効果的に改善しながら、操縦安定性能と乗心地性能の向上を両立させることが可能となる。より好ましくは、０．２≦ｈ３／Ｈ≦０．４である。
【００１２】
本発明では、凸部の高さａと凸部の幅ｗ１とは０．５≦ａ／ｗ１≦２．０の関係を満たし、凸部の高さａと立体サイプのサイプ深さＨとは０．０５≦ａ／Ｈ≦０．２５の関係を満たすことが好ましい。これにより、耐偏摩耗性能を効果的に改善しながら、操縦安定性能と乗心地性能の向上を両立させることが可能となる。より好ましくは、１．０≦ａ／ｗ１≦１．５である。
【図面の簡単な説明】
【００１３】
【図１】本発明の実施形態からなる空気入りタイヤのトレッド部の一部を示す斜視図である。
【図２】図１のトレッド部に形成されたブロックを立体サイプの延在方向に切り開いた状態を示す説明図である。
【図３】図１のトレッド部に形成されたブロックの平面図である。
【図４】図１のトレッド部に形成されたブロックの側面図である。
【図５】図３のＸ−Ｘ矢視断面図である。
【図６】図３のＹ−Ｙ矢視断面図である。
【図７】本発明の実施形態からなる空気入りタイヤのトレッド部に形成されたブロックの変形例を立体サイプの延在方向に切り開いた状態を示す説明図である。
【図８】本発明の実施形態からなる空気入りタイヤのトレッド部の変形例の一部を示す斜視図である。
【図９】（ａ）〜（ｃ）は本発明の空気入りタイヤのブロックにおける凹部及び凸部の変形例を示す断面図である。
【図１０】（ａ）〜（ｆ）は本発明の空気入りタイヤのブロックにおける凹部及び凸部の他の変形例を示す断面図である。
【発明を実施するための形態】
【００１４】
以下、本発明の構成について添付の図面を参照しながら詳細に説明する。図１〜４は本発明の実施形態からなる空気入りタイヤのトレッド部１を示すものである。なお、図１に示すＴｃはタイヤ周方向、Ｔｗはタイヤ幅方向、Ｒは回転方向である。
【００１５】
図１に示すように、この回転方向Ｒが指定された空気入りタイヤはトレッド部１を有しており、このトレッド部１にはタイヤ周方向に延びる複数本の主溝１１と、タイヤ幅方向に延びる複数本の横溝１２とが形成されている。また、トレッド部１には、この主溝１１及び横溝１２によって区画された陸部である複数のブロック２が形成されている。
【００１６】
トレッド部１を構成する複数のブロック２にはタイヤ幅方向に延びる立体サイプ３が形成されている。この立体サイプ３は、サイプ深さ方向においてその一部がトレッド部１の踏面の法線方向に対して屈曲した構造を有している。即ち、立体サイプ３は、トレッド部１の踏面の法線方向に沿って延びる踏面側サイプ部３Ａ及び底側サイプ部３Ｂと、これら踏面側サイプ部３Ａ及び底側サイプ部３Ｂとの間で踏面の法線方向に対して傾斜する中間サイプ部３Ｃとを含んでいる。
【００１７】
また、中間サイプ部３Ｃは、踏面側サイプ部３Ａ及び底側サイプ部３Ｂに比べてサイプ深さ方向に拡幅されている。即ち、中間サイプ部３Ｃは、立体サイプ３を構成する踏面側サイプ部３Ａ、底側サイプ部３Ｂ及び中間サイプ部３Ｃのうち最もサイプ幅が広く、踏面側サイプ部３Ａ及び底側サイプ部３Ｂより幅広な部位をいう。中間サイプ部３Ｃが踏面側サイプ部３Ａ及び底側サイプ部３Ｂに比べて拡幅されていることにより、ブロック２が圧縮方向へ変形する空間が確保され、ブロック２の圧縮方向の変形を許容できる。
【００１８】
図２〜４に示すように、立体サイプ３のタイヤ幅方向の中央領域には少なくとも一対の凸部４Ａと凹部４Ｂが形成されている。図４に示す点線は、凸部４Ａ及び凹部４Ｂの形状を示す補助線である。凸部４Ａと凹部４Ｂとは互いに噛み合うように構成されている。図２の態様では、凸部４Ａがタイヤ径方向内側に配置されている一方で凹部４Ｂがタイヤ径方向外側に配置されている例を示したが、図７に示すように凸部４Ａをタイヤ径方向外側に配置し、凹部４Ｂをタイヤ径方向内側に配置するように構成しても良い。図２，７のいずれの場合においても、一対の凸部４Ａと凹部４Ｂとが互いに噛み合う構造を有することにより、制駆動及び旋回時におけるブロック２のせん断方向の変形に対する抑制効果を有する。また、立体サイプ３の長手方向に沿って２対以上の凸部４Ａと凹部４Ｂを配置することもできる。
【００１９】
上記ブロック２には、単一の立体サイプ３がブロック２の蹴り出し側の端部２１付近に配置されている。この立体サイプ３は、中間サイプ部３Ｃが踏面側サイプ部から踏み込み側に向かって屈曲した構造を有している。一方、図８に示すブロック２には、複数本の立体サイプ３がタイヤ周方向に沿って間隔をおいて配置されている。この立体サイプ３は、ブロック２の蹴り出し側の端部２１付近に配置された立体サイプ３１と、ブロック２の蹴り出し側の端部２１以外に配置された立体サイプ３２とを含んでいる。これら立体サイプ３１，３２において、各中間サイプ部３Ｃは踏面側サイプ部３Ａから踏み込み側に向かって屈曲している。ここで、立体サイプ３２は必ずしも立体サイプ３１と同一方向に向かって屈曲していなくとも良いが、図８に示すように、ブロック２に複数の立体サイプ３が配置された場合には、立体サイプ３１，３２が全て同一方向、即ち、踏み込み側に向かって屈曲している態様が好ましい。
【００２０】
また、図８の態様では、ブロック２に配置された全てのサイプが立体サイプ３である例を示しているが、立体サイプ３２の替りにトレッド部１の踏面の法線方向に沿って延びる通常サイプを採用することもできる。このように通常サイプを採用する場合、ブロック２では、立体サイプ３１と立体形状を有していない通常サイプとが混在する構造となる。つまり、本発明では、立体サイプ３が少なくともブロック２の蹴り出し側の端部２１に配置され、そのブロック２の蹴り出し側の端部２１に配置された立体サイプ３の中間サイプ部３Ｃが踏面側サイプ部３Ａから踏み込み側に向かって屈曲していれば良い。
【００２１】
上述した空気入りタイヤでは、トレッド部１を構成する複数のブロック２のうち少なくとも一つのブロック２に、トレッド部１の踏面の法線方向に沿って延びる踏面側サイプ部３Ａ及び底側サイプ部３Ｂと、これら踏面側サイプ部３Ａ及び底側サイプ部３Ｂとの間で踏面の法線方向に対して傾斜する中間サイプ部３Ｃとからなる立体サイプ３を有し、中間サイプ部３Ｃは踏面側サイプ部３Ａ及び底側サイプ部３Ｂに比べて拡幅されていることで、ブロック２が圧縮方向へ変形する空間が確保され、ブロック２の圧縮方向への変形を抑制しないため、乗心地性能を向上させることが可能となる。また、中間サイプ部３Ｃに互いに噛み合う少なくとも一対の凸部４Ａと凹部４Ｂが形成されていることで、制駆動及び旋回時におけるブロック２のせん断方向の変形を効率よく抑制することができる。その結果、操縦安定性能を向上させることが可能となる。更に、回転方向が指定されたタイヤにおいて、立体サイプ３がブロック２の少なくとも蹴り出し側の端部２１に配置されると共に、ブロック２の蹴り出し側の端部２１に配置された立体サイプ３において中間サイプ部３Ｃが踏面側サイプ部３Ａから踏み込み側に向かって屈曲しているので、ブロック２における蹴り出し側の端部２１に位置する小ブロックの剛性を向上させることができるため、耐偏摩耗性能を改善することが可能となる。
【００２２】
図５に示すように、凸部４Ａの頂点から凹部４Ｂの底面までサイプ深さ方向の距離を距離ｈ１とし、中間サイプ部３Ｃの両壁面同士のサイプ深さ方向の距離を距離ｈ２とする。また、凸部４Ａにおいて立体サイプ３が延在する方向の幅を幅ｗ１とし、凹部４Ｂにおいて立体サイプ３が延在する方向の幅を幅ｗ２とする。このとき、距離ｈ１と距離ｈ２とはｈ１≧ｈ２の関係を満たし、距離ｈ２と立体サイプ３のサイプ深さＨとは０．１≦ｈ２／Ｈ≦０．４の関係を満たし、凸部４Ａの幅ｗ１と凹部４Ｂの幅ｗ２とは０．７≦ｗ１／ｗ２＜１．０の関係を満たす。特に、０．２≦ｈ２／Ｈ≦０．３の関係を満たすように構成すると良い。乗用車用タイヤでは、凸部４Ａの幅ｗ１が２．０ｍｍ〜４．０ｍｍ、凹部４Ｂの幅ｗ２が２．５ｍｍ〜４．５ｍｍ、立体サイプ３のサイプ深さＨが４．０ｍｍ〜８．０ｍｍであることが好ましい。これにより、凸部４Ａ及び凹部４Ｂにおいて圧縮方向への変形する空間（隙間）を確保することで、ブロック２の圧縮方向への変形を効果的に許容することができるため、操縦安定性能と乗心地性能の向上を両立させることが可能となる。また、耐偏摩耗性能も効果的に改善することができる。
【００２３】
また、凸部４Ａのサイプ深さ方向の高さを高さａとする。このとき、凸部４Ａの高さａと凸部４Ａの幅ｗ１とが０．５≦ａ／ｗ１≦２．０の関係を満たし、凸部４Ａの高さａと立体サイプ３のサイプ深さＨとが０．０５≦ａ／Ｈ≦０．２５の関係を満たす。特に、１．０≦ａ／ｗ１≦１．５の関係を満たすように構成すると良い。これにより、耐偏摩耗性能を改善しながら、操縦安定性能と乗心地性能の向上を両立させることが可能となる。ここで、ａ／ｗ１が０．５未満であるとブロック２の圧縮方向の変形が抑制されることとなり乗心地性能が悪化し、ａ／ｗ１が２．０を超えるとブロック２のせん断方向の変形が抑制されることとなり操縦安定性能及び耐偏摩耗性能が悪化する。
【００２４】
図６に示すように、踏面側サイプ部３Ａと中間サイプ部３Ｃとを連結する部位を連結部ＰＡ、底側サイプ部３Ｂと中間サイプ部３Ｃとを連結する部位を連結部ＰＢとする。即ち、連結部ＰＡは立体サイプ３における屈曲開始位置である一方で、連結部ＰＢは立体サイプ３における屈曲終了位置である。また、立体サイプ３の底面を基点として連結部ＰＡまでの距離を距離ｋとする。このとき、距離ｋと立体サイプ３のサイプ深さＨとは０．３≦ｋ／Ｈ≦０．９の関係を満たし、より好ましくは０．５≦ｋ／Ｈ≦０．７の関係を満たす。このように距離ｋをサイプ深さＨに対して適度に設定することで、ブロック２のせん断方向への変形を効果的に抑制することができる。その結果、操縦安定性能を向上させることが可能となる。ここで、ｋ／Ｈが０．３未満であるとブロック２の上部の変形が大きくブロック２のせん断方向の変形を十分に許容することができず、ｋ／Ｈが０．９を超えると摩耗時において凸部４Ａや凹部４Ｂの形状を維持することができない。
【００２５】
また、立体サイプ３の幅をサイプ幅ｌ（踏面側サイプ部３Ａの幅ｌ）とし、踏面側サイプ部３Ａと底側サイプ部３Ｂとのサイプ幅方向のずれ量をずれ量Ｌとする。即ち、このずれ量Ｌは踏面側サイプ部３Ａ及び底側サイプ部３Ｂのそれぞれの中心線の間のサイプ中心間距離に相当する。このとき、立体サイプ３においてサイプ幅ｌとずれ量Ｌとは０．０５≦ｌ／Ｌ≦０．４の関係を満たし、より好ましくは０．１５≦ｌ／Ｌ≦０．３の関係を満たす。乗用車用タイヤでは、立体サイプ３のサイプ幅ｌ（踏面側サイプ部３Ａの幅ｌ）が１．５ｍｍ以下であることが好ましい。このようにサイプ幅ｌをずれ量Ｌに対して適度に設定することで、操縦安定性能と乗心地性能の向上を両立させることが可能となる。ここで、ｌ／Ｌが０．０５未満であると立体サイプ３のせん断方向に対する剛性の低下が大きく操縦安定性が悪化し、更にはサイプの型抜け性が悪化する懸念がある。一方、ｌ／Ｌが０．４を超えると中間サイプ部３Ｃが小さく、せん断方向の変形を抑制する凸部４Ａ及び凹部４Ｂの大きさを確保することが難しくなる。
【００２６】
更に、立体サイプ３において連結部ＰＢから連結部ＰＡまでのサイプ深さ方向の距離を距離ｈ３とする。このとき、立体サイプ３の距離ｈ３と立体サイプ３のサイプ深さＨとは０．１≦ｈ３／Ｈ≦０．５の関係を満たし、より好ましくは０．２≦ｈ３／Ｈ≦０．４の関係を満たす。このように距離ｈ３をサイプ深さＨに対して適度に設定することで、耐偏摩耗性能を改善しながら、操縦安定性能と乗心地性能の向上を両立させることが可能となる。ここで、ｈ３／Ｈが０．１未満であると中間サイプ部３Ｃが小さくなり圧縮方向の変形が抑制されることとなり乗心地性能が悪化する。一方、ｈ３／Ｈが０．５を超えると立体サイプ３のせん断方向に対する剛性の低下が大きく操縦安定性能及び耐偏摩耗性能が悪化する。
【００２７】
中間サイプ部３Ｃはトレッド部１の踏面の法線方向に対して傾斜している。図６に示すように、トレッド部１の踏面の法線方向に対する中間サイプ部３Ｃの傾斜角度を傾斜角度θとする。本発明では、中間サイプ部３Ｃの傾斜角度θが３０°〜８０°となるように構成すると良い。特に、５０°〜６０°とすることがより好ましい。また、凸部４Ａ及び凹部４Ｂのトレッド部１の踏面の法線方向に対する傾斜角度も中間サイプ部３Ｃの傾斜角度θと同様に構成することが好ましい。このように中間サイプ部３Ｃ、凸部４Ａ及び凹部４Ｂの傾斜角度θを設定することで、型抜け性を良くすることができる。
【００２８】
立体サイプ３の凸部４Ａの形状としては、図５に示す矩形の他に図９（ａ）に示すように凸部４Ａの先端側の底辺が短い台形の場合や、図９（ｂ）に示すように凸部４Ａの先端に向かって徐々に細くなり凸部４Ａの側面のみが丸みを有している場合、図９（ｃ）に示すように凸部４Ａの先端に向かって徐々に細くなり先端部が丸みを有している場合を例示することができる。
【００２９】
また、立体サイプ３の凸部４Ａと凹部４Ｂとの噛み合わせ部分において、図２〜４に示すように形成されている場合の他に、図１０（ａ）に示すように凸部４Ａの一部に矩形の切り欠きがある場合や、図１０（ｂ）に示すように凸部４Ａの一部に三角形の切り欠きがある場合を例示することができる。また、図１０（ｃ），（ｄ）に示すように凸部４Ａ及び凹部４Ｂが階段状に形成された場合、図１０（ｅ）に示すように凸部４Ａが台形の形状を有する場合、図１０（ｆ）に示すように凸部４Ａ及び凹部４Ｂが円弧状に形成された場合を例示することができる。
【実施例】
【００３０】
タイヤサイズ１９５／６５Ｒ１５で、トレッド部に、タイヤ周方向に延びる複数本の主溝と、タイヤ幅方向に延びて該主溝に連通する複数本の横溝と、これら主溝及び横溝により区画された複数のブロックとを備え、各ブロックにサイプを有すると共に、回転方向が指定された空気入りタイヤにおいて、サイプにおける屈曲構造の有無、中間サイプ部における拡幅の有無、凸部及び凹部の有無、サイプの屈曲方向（踏み込み側又は蹴り出し側）、距離ｈ１と距離ｈ２との大小、凸部の幅ｗ１の凹部の幅ｗ２に対する比（ｗ１／ｗ２）、距離ｈ２のサイプ深さＨに対する比（ｈ２／Ｈ）、距離ｋのサイプ深さＨに対する比（ｋ／Ｈ）、サイプ幅ｌのずれ量Ｌに対する比（ｌ／Ｌ）、距離ｈ３のサイプ深さＨに対する比（ｈ３／Ｈ）、凸部の幅ｗ１の凸部の高さａに対する比（ａ／ｗ１）、凸部の高さａのサイプ深さＨに対する比（ａ／Ｈ）を表１及び表２のように設定した従来例、比較例１，２及び実施例１〜１３のタイヤを製作した。
【００３１】
なお、表１，２の「サイプにおける屈曲構造の有無」については、トレッド部に形成されたサイプが、トレッド部の踏面の法線方向に沿って延びる踏面側サイプ部及び底側サイプ部と、踏面側サイプ部及び底側サイプ部との間で踏面の法線方向に対して傾斜する中間サイプ部とを有するか否かを意味する。また、「屈曲部における拡幅の有無」については、中間サイプ部が踏面側サイプ部及び底側サイプ部に比べてサイプ深さ方向に拡幅された構造を有するか否かを意味する。更に、「サイプの屈曲方向（踏み込み側又は蹴り出し側）」については、ブロックの蹴り出し側の端部に位置する立体サイプにおいて、その中間サイプ部が踏面側サイプ部から屈曲する方向を示すものである。
【００３２】
これら試験タイヤについて、パネラーによる操縦安定性能及び乗心地性能に関する官能評価並びに耐偏摩耗性能に関する視覚評価を実施し、その結果を表１及び表２に併せて示した。
【００３３】
操縦安定性能及び乗心地性能に関する官能評価は、各試験タイヤをリムサイズ１５×６Ｊホイールに組み付けて排気量２０００ｃｃの前輪駆動車に装着し、空気圧２３０ｋＰａの条件にて行った。評価結果は、従来例を１００とする指数にて示した。この指数値が大きいほど操縦安定性能及び乗心地性能が優れていることを意味する。
【００３４】
耐偏摩耗性能に関する視覚評価は、各試験タイヤをリムサイズ１５×６Ｊホイールに組み付けて車両に装着し、空気圧２３０ｋＰａの条件で１０，０００ｋｍ走行後にトレッド部に発生した偏摩耗量を測定した。評価結果は、測定値の逆数を用い、従来例を１００とする指数にて示した。この指数値が大きいほど耐偏摩耗性能が優れていることを意味する。
【００３５】
【表１】
2018052155.tif 000003
【００３６】
【表２】
2018052155.tif 000004
【００３７】
これら表１及び表２から判るように、従来例との比較においては、踏面側サイプ部と底側サイプ部と中間サイプ部とからなる立体サイプを有し、中間サイプ部は踏面側サイプ部及び底側サイプ部に比べて拡幅されており、中間サイプ部に互いに噛み合う一対の凸部と凹部が形成され、立体サイプがブロックの少なくとも蹴り出し側の端部に配置されると共に、ブロックの蹴り出し側の端部に配置された立体サイプにおいて中間サイプ部が踏面側サイプ部から踏み込み側に向かって屈曲していることで、実施例１〜１３のタイヤは、耐摩耗性能が改善されると共に、乗心地性能と操縦安定性能がバランス良く改善されていた。
【００３８】
一方、比較例１においては、サイプが屈曲構造を有するものの凸部及び凹部を備えていないため、せん断方向の変形を抑制できず、操縦安定性の改善効果は得られなかった。比較例２においては、サイプが屈曲構造を有するものの中間サイプ部が拡幅されていないため、圧縮方向の変形を許容することができず、乗心地性能の改善効果が得られなかった。また、比較例１，２の双方において、ブロックの蹴り出し側の端部に位置するサイプの中間サイプ部が踏面側サイプ部から蹴り出し側に向かって屈曲しているため、耐偏摩耗性能の改善効果が得られなかった。
【符号の説明】
【００３９】
１  トレッド部
２  ブロック
２１  蹴り出し側の端部
３  立体サイプ
３Ａ  踏面側サイプ部
３Ｂ  底側サイプ部
３Ｃ  中間サイプ部
４Ａ  凸部
４Ｂ  凹部
１１  主溝
１２  横溝
【図１】
2018052155.tif 000005
【図２】
2018052155.tif 000006
【図３】
2018052155.tif 000007
【図４】
2018052155.tif 000008
【図５】
2018052155.tif 000009
【図６】
2018052155.tif 000010
【図７】
2018052155.tif 000011
【図８】
2018052155.tif 000012
【図９】
2018052155.tif 000013
【図１０】
2018052155.tif 000014